(57)【要約】      （修正有）【課題】電池収納室内の電池の有無に関わらず、容易に取り外すことを可能とする電池蓋を提供する。【解決手段】電池蓋３０は、円筒状の本体部３６と、本体部３６の周面に沿うようにして螺旋状に捲回される弾性部材５０と、弾性部材５０の回転を防止する回転防止部とを備え、弾性部材５０の一部が螺旋経路から本体部の端面方向に逸脱した直線状部分５１を成すように構成されている。電池蓋３０は、例えば蓋面部３５および本体部３６の間に防水材装着部３７を備えている。防水材装着部３７に対して、防水材が装着される。蓋面部３５および本体部３６の間にパッキンを介装させることにより、本体ケースの内部に水分等の異物が侵入することを防止できる。【選択図】図４
0003194547.tif 000002
【実用新案登録請求の範囲】
【請求項１】
円筒状の本体部と、
前記本体部の周面に沿うようにして螺旋状に捲回される弾性部材と、
前記弾性部材の回転を防止する回転防止部と
を備え、
前記弾性部材の一部が螺旋経路から前記本体部の端面方向に逸脱した直線状部分を成すように構成された
電池蓋。
【請求項２】
前記本体部の端面側に前記直線状部分が配されるように構成された
請求項１に記載の電池蓋。
【請求項３】
前記本体部の端面側であり、且つ、前記本体部の周面の略対向する位置に、２個の係止片が設けられ、
前記２個の係止片の間の少なくとも一方に、前記直線状部分が配されるように構成された
請求項２に記載の電池蓋。
【請求項４】
前記回転防止部は、前記弾性部材の一端が前記本体部の周面に設けられた孔に挿入されて成る
請求項１乃至３のいずれか１項に記載の電池蓋。
【請求項５】
電池蓋と、
前記電池蓋と係合する電池挿入孔とを備え、
前記電池蓋は、円筒状の本体部と、前記本体部の周面に沿うようにして螺旋状に捲回される弾性部材と、前記弾性部材の回転を防止する回転防止部と、前記本体部の端面の近傍であり且つ前記本体部の周面に設けられる係止片とを備え、前記弾性部材の一部が螺旋経路から前記本体部の端面方向に逸脱した直線状部分を成すように構成され、
前記電池挿入孔は、内周面の一部に形成されるフランジ部を備え、
前記電池挿入孔が前記電池蓋により閉塞される閉塞状態において、前記フランジ部の一面に対して前記弾性部材の前記直線状部分が当接することにより前記弾性部材が弾性変形し、前記係止片が前記フランジ部の反対面に当接するように構成された
電子機器。
【請求項６】
前記電池蓋が回動することに応じて前記係止片が回動し、前記係止片と前記フランジ部とが当接する状態が解除されるように構成された
請求項５に記載の電子機器。
【考案の詳細な説明】
【技術分野】
【０００１】
本考案は、電池蓋および電子機器に関し、例えば電子塩分計に適用可能な電池蓋および電子機器に関する。
【背景技術】
【０００２】
従来、電池収納室内を閉塞する電池蓋にコイルスプリング（円錐バネ、巻きバネ等とも称される）を設け、コイルスプリングの付勢力（弾性力やバネ圧などとも称される）を利用して電池収納室からの電池の排出を容易とした技術が提案されている。例えば下記特許文献１には、キャップ部材（電池蓋に相当する構成）にコイルスプリングを設け、キャップ部材で電池収納室を閉塞した際に電池の負極側にコイルスプリングが当接し、コイルスプリングが弾性変形するように構成した電池ホルダが記載されている。この構成により、電池の排出方向に向かうコイルスプリングの付勢力が発生し、電池交換を行う際にキャップ部材を容易に取り外すことができる。
【先行技術文献】
【特許文献】
【０００３】
【特許文献１】実開平７−３４５４９号公報
【考案の概要】
【考案が解決しようとする課題】
【０００４】
しかしながら、上述の特許文献１に記載の技術では、電池収納室に電池が収納されていない場合にはコイルスプリングが弾性変形せず付勢力が発生しない。このように従来の技術では、電池収納室内の電池の有無によりキャップ部材を取り外す操作の容易性に差異が生じてしまう、という問題があった。
【０００５】
そこで本考案は、電池収納室内の電池の有無に関わらず電池蓋を容易に取り外すことができる電池蓋および電子機器を提供することを目的の一つとする。
【課題を解決するための手段】
【０００６】
上記課題を解決するために、本考案の一態様は、円筒状の本体部と、本体部の周面に沿うようにして螺旋状に捲回される弾性部材と、弾性部材の回転を防止する回転防止部とを備え、弾性部材の一部が螺旋経路から本体部の端面方向に逸脱した直線状部分を成すように構成された電池蓋である。
【０００７】
本考案の他の態様は、電池蓋と、電池蓋と係合する電池挿入孔とを備え、電池蓋は、円筒状の本体部と、本体部の周面に沿うようにして螺旋状に捲回される弾性部材と、弾性部材の回転を防止する回転防止部と、本体部の端面の近傍であり且つ本体部の周面に設けられる係止片とを備え、弾性部材の一部が螺旋経路から本体部の端面方向に逸脱した直線状部分を成すように構成され、電池挿入孔は、内周面の一部に形成されるフランジ部を備え、電池挿入孔が電池蓋により閉塞される閉塞状態において、フランジ部の一面に対して弾性部材の直線状部分が当接することにより弾性部材が弾性変形し、係止片がフランジ部の反対面に当接するように構成された電子機器である。
【考案の効果】
【０００８】
本考案の少なくとも一の実施形態によれば、電池収納室内の電池の有無に関わらず電池蓋を容易に取り外すことができる。なお、本明細書において例示された効果により本考案の内容が限定して解釈されるものではない。
【図面の簡単な説明】
【０００９】
【図１】図１は、本考案の一実施形態による電子塩分計の外観を示す斜視図である。
【図２】図２Ａ乃至図２Ｆは、本考案の一実施形態による電池蓋の構成を説明するための六面図である。
【図３】図３Ａは、本考案の一実施形態による導通阻止部の構成を説明するための図であり、図３Ｂは、本考案の一実施形態による電池を示す図である。
【図４】図４は、本考案の一実施形態による電池蓋の構成を説明するための斜視図である。
【図５】図５は、本考案の一実施形態による電池蓋の構成を説明するための斜視図である。
【図６】図６は、直線状部分の他の例を説明するための斜視図である。
【図７】図７は、本考案の一実施形態による電池挿入孔の構成を説明するための図である。
【図８】図８は、本考案の一実施形態による電池蓋の挿着動作を説明するための図である。
【図９】図９は、本考案の一実施形態による電池蓋により電池挿入孔が閉塞された状態を示す図である。
【図１０】図１０は、変形例を説明するための図である。
【考案を実施するための形態】
【００１０】
以下、本考案の一実施形態等について図面を参照しながら説明する。なお、説明は以下の順序で行う。
＜１．一実施形態＞
＜２．変形例＞
但し、以下に示す実施形態等は、本考案の技術思想を具体化するための構成を例示するものであって、本考案は例示された構成に限定されるものではない。なお、実用新案登録請求の範囲に示される部材を、実施形態の部材に特定するものではない。特に、実施形態に記載されている構成部材の寸法、材質、形状、その相対的配置、上下左右等の方向の記載等は特に限定する旨の記載がない限りは、本考案の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、重複する説明を適宜省略する。さらに、本考案を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、適宜、他の実施例、実施形態等に適用可能である。
【００１１】
なお、本考案の一実施形態では、電子機器として電子塩分計を例にして説明する。本考案は、電子塩分計のほかにも、各種の生体情報を取得可能な電子機器や、温度計や湿度計、電子体温計、カメラ、ゲーム装置等に対しても適用可能である。
【００１２】
「電子塩分計の外観」
図１は、本考案の一実施形態における電子塩分計の外観を示す斜視図である。電子塩分計１は、本体ケース（筐体）１０と、プローブ部（先端部）２０とが一体的に形成された構成を有している。本体ケース１０とプローブ部２０との間には、シリコンゴム２１が介装されている。
【００１３】
本体ケース１０は、ＡＢＳ（アクリロニトリル／ブタジエン／スチレン共重合体）樹脂やエラストマーなどからなる。この本体ケース１０には、ＬＣＤ(Liquid Crystal Display)等からなる表示部１１が配設されている。また更に、本体ケース１０には、スイッチ、音を再生するためのスピーカなどが設けられてもよく、また、電池の挿入方向等を示す表示が印刷されていてもよい。
【００１４】
プローブ部２０の先端の２箇所に電極部（センサ）２２が設けられている。電極部２２を測定対象に接触させることより塩分濃度の測定がなされ、測定の結果が表示部１１に表示される。なお、表示部１１に電池の残量やエラーメッセージ等が表示されてもよい。
【００１５】
本体ケース１０の内部には空間が形成されている。この空間内に電池が収納されるとともに回路基板や配線などが収納される。本体ケース１０内に収納される電池は、一実施形態では円筒状の乾電池とされるが、コイン型（ボタン型）等の電池でもよい。本体ケース１０の側面には電池挿入孔（図示を省略している）が形成されており、この電池挿入孔に電池蓋３０が着脱自在とされる。図１では、本体ケース１０の電池挿入孔に対して電池蓋３０が係合し、本体ケース１０の内部空間が閉塞された状態が示されている。
【００１６】
電池蓋３０の端面は略円形を成しており、この端面には矩形溝状の凹部３１が形成されている。凹部３１にコイン等を挿入し、一方向に例えば９０度程度、回転させることにより電池蓋３０が回動し、電池蓋３０を本体ケース１０に取り付けることができる。また、凹部３１にコイン等を挿入し、一方向と反対方向に例えば９０度程度、回転させることにより電池蓋３０が回動し、電池蓋３０を本体ケース１０から取り外すことができる。
【００１７】
「電池蓋の構成」
次に、図２乃至図５を参照して電池蓋３０の構成の一例について説明する。図２は電池蓋３０の構成を説明するための六面図であり、図２Ａは電池蓋３０の正面図であり、図２Ｂは電池蓋３０の左側面図であり、図２Ｃは電池蓋３０の右側面図であり、図２Ｄは電池蓋３０の背面図であり、図２Ｅは電池蓋３０の平面図であり、図２Ｆは電池蓋３０の底面図である。なお、電池蓋３０の構成には弾性部材（例えば、後述するコイルスプリング）が含まれるが、図２および図３ではその図示を省略している。
【００１８】
電池蓋３０は、略円形の端面（上面）を有し所定の厚みを有する蓋面部３５と、蓋面部３５の下面の中央付近に形成された円筒状の本体部３６とを備えている。なお、本体部３６の形状は厳密な円筒形状に限定されるものではなく、本体部３６の周面に段部等が形成された形状でもよい。上述したように、蓋面部３５の上面には凹部３１が形成されている。また、蓋面部３５の上面には凹部３１を境にして「OPEN」および「CLOSE」の文字が形成されており、さらに、操作方向を示す矢印が各文字に隣接する位置に形成されている。各矢印は反対方向を示している。文字および矢印は、例えば、蓋面部３５の上面の一部を凸または凹とすることにより形成することができる。
【００１９】
電池蓋３０を本体ケース１０に挿着する際は、電池蓋３０を電池挿入孔に押し込みながら「CLOSE」の横に位置する矢印の方向へ電池蓋３０を回動させる。一方、電池蓋３０を本体ケース１０から取り外す際は、「OPEN」の横に位置する矢印の方向へ電池蓋３０を回動させる。
【００２０】
なお、本実施形態における電池蓋３０は、例えば蓋面部３５および本体部３６の間に防水材装着部３７を備えている。防水材装着部３７に対して、防水材（例えばリング状のパッキン）が装着される。蓋面部３５および本体部３６の間にパッキンを介装させることにより、本体ケース１０の内部に水分等の異物が侵入することを防止できる。
【００２１】
本体部３６の端面３９側であり、且つ、本体部３６の周面３８の略対向する位置に、一対の係止片（係止片４０ａおよび係止片４０ｂ）が形成されている。ここで、端面３９側とは、本体部３６の中央より端面３９寄りの位置を意味する。より具体的には、端面３９の近傍（例えば、端面３９の周縁付近）に、係止片４０ａおよび係止片４０ｂが形成されている。係止片４０ａおよび係止片４０ｂは、本体部３６と一体的に形成されてもよく、別個に形成された後に本体部３６に対して接着、溶接等により取り付けられてもよい。係止片４０ａおよび係止片４０ｂのそれぞれ長さをＬ１０と表記する。係止片４０ａの長さ（係止片４０ｂの長さも同様）は、例えば、図２Ｂおよび図２Ｆに示すように係止片４０ａの端面における長手方向の長さにより規定される。なお、係止片４０ａおよび係止片４０ｂが果たす機能については後述する。
【００２２】
さらに、本体部３６の周面３８における、防水材装着部３７寄りの略対向する位置に、一対の孔部（孔部４１ａおよび孔部４１ｂ）が形成されている。孔部４１ａおよび孔部４１ｂのいずれかに、後述するコイルスプリングの一端が挿入され固定される。なお、本実施形態では２個の孔部を本体部３６の周面３８に形成しているが、いずれか１個でもよい。
【００２３】
本体部３６の端面３９に、例えば、電池の電極に接触する金属板からなる電極が設けられてもよい。電極を形成するための凹部等が端面３９に形成されてもよい。また、電池蓋３０の端面に、電池の挿入方向を誤った場合の導通を阻止する導通阻止部が設けられてもよい。
【００２４】
ここで、図３を参照して導通阻止部の一例について説明する。図３Ａは導通阻止部の一例を説明するための図である。図３Ａに示すように、電池蓋３０の端面３９には金属板からなる電極４３が設けられている。例えば、電極４３に対して電池の正極端子が接触する場合が電池正常装填状態であり、電極４３に対して電池の負極端子が接触する場合が電池逆装填状態である。電池の正極端子は、電極４３の略中央付近に接触する。導通阻止部は、例えば、本体部３６の端面３９で係止片４０ａと係止片４０ｂとの直線経路間となる位置から形成される２個の突起（突起４４および突起４５）からなる。突起４４および突起４５は、それぞれ高さＨ１を有しており、各突起の内側間の間隔がＤ０とされ、各突起の外側間の間隔がＤ１とされている。
【００２５】
図３Ｂは電池の一例を示す図である。図３Ｂに示す電池４７は、例えば円筒形状の乾電池であり、一方が凸形状の正極端子４８であり、他方が略平坦な負極端子４９である。正極端子４８は、幅Ｄ２および高さＨ２を有している。
【００２６】
突起間の間隔Ｄ１は、負極端子４９側の端面の幅（径）よりやや小となる長さに設定され、かつ、突起間の間隔Ｄ０は、正極端子４８の幅Ｄ２より大となる長さに設定されている。また、各突起の高さＨ１は、正極端子４８の高さＨ２よりも低くなるように設定されている。
【００２７】
ここで、電極４３と負極端子４９とが一定以上、近接すると負極端子４９が突起４４および突起４５により遮られ、電極４３と負極端子４９とが接触することを防止できる。すなわち、上述した電池逆装填状態となることを防止できる。一方、正極端子４８の幅Ｄ２は突起間の間隔Ｄ０より小さいため、正極端子４８の電極４３への接触が突起４４および突起４５により遮られることがない。さらに、正極端子４８の高さＨ２は各突起の高さＨ１より高いため正極端子４８が電極４３に近接・接触する際に、正極端子４８の周囲が突起４４および突起４５に接触することがない。すなわち、正極端子４８の電極４３への接触が突起４４および突起４５により遮られることがなく、電池正常装填状態とすることができる。なお、上述した導通阻止部の構成は一例でありこれに限定されるものではない。また、以下の説明では電極および導通阻止部の図示を適宜、省略している。
【００２８】
図４および図５は、異なる方向から電池蓋３０を見た斜視図である。電池蓋３０の主な構成については上述した通りである。図４および図５に示すように、電池蓋３０は、本体部３６の周面に沿うようにして螺旋状に捲回されるコイルスプリング５０（弾性部材の一例）を有している。コイルスプリング５０は、所定長を有し、両端に略円形の端面をそれぞれ有するとともに、周表面を有している。コイルスプリング５０の一端付近が略直角に屈曲され、屈曲された箇所が孔部４１ｂに挿入されている。これによりコイルスプリング５０が本体部３６の周囲において回転しまうことを防止できる。
【００２９】
なお、屈曲された箇所が孔部４１ｂではなく孔部４１ａに挿入されてもよい。また、コイルスプリング５０の回転を防止する構成（回転防止部）は上述した構成に限定されるものではない。例えば、コイルスプリング５０の一端が本体部３６の周面３８に接着、溶接等されることにより固定されてもよい。また、図４および図５ではコイルスプリング５０の他端（終端）が、例えば係止片４０ａの下側付近に位置しているがこれに限定されるものではなく適宜な位置に配することができる。
【００３０】
本実施形態では、コイルスプリング５０の螺旋経路から本体部３６の端面方向に逸脱した直線状部分が、コイルスプリング５０の一部に形成されている。直線状部分５１は、例えば、本体部３６の端面３９側に配され、より具体的には、端面３９の周縁の一部に略隣接する位置に配される。本実施形態では、係止片４０ａと係止片４０ｂとの間のいずれか一方の間に直線状部分５１が配される。直線状部分５１の長さをＬ２０と表記する。詳細については後述するが、コイルスプリング５０の直線状部分５１が、電池挿入孔の内周面に形成されたフランジ部（後述するフランジ部６１またはフランジ部６２）に当接する。
【００３１】
なお、コイルスプリング５０の直線状部分５１は直線のみの形状を示すものであることを意味するものではない。直線状部分５１は、電池挿入孔の内周面に形成されたフランジ部（後述するフランジ部６１またはフランジ部６２）に対してコイルスプリング５０の周表面の少なくとも一部が接触する形状を示すものであることを意味する。例えば、図６に示すように、フランジ部側となる方向に対して、円弧形状を示すものも直線状部分に含むものである。
【００３２】
「開閉操作に伴う電池蓋の動作」
次に、図７乃至図９を参照して開閉操作に伴う電池蓋の動作の一例について説明する。図７は、本体ケース１０の側面図である。図８は、開閉操作に伴う電池蓋の動作の一例を説明するための図である。図９は、電池挿入孔が電池蓋により閉塞された状態における各部材の位置関係の一例を説明するための図である。なお、各図において本体ケース１０等の図示を一部、簡略化している。
【００３３】
図７に示すように、電子塩分計１の本体ケース１０の側面には電池挿入孔６０が形成されており、電池挿入孔６０は本体ケース１０内部の電池収納室に連通している。電池挿入孔６０に対して電池蓋３０が着脱自在とされる。電池挿入孔６０における、開口端からやや奥側の内周面に２個のフランジ部（フランジ部６１およびフランジ部６２）が突設されている。
【００３４】
フランジ部６１およびフランジ部６２は、電池挿入孔６０の内周面における略対向する位置に突設されており、２個のフランジ部の間には間隙６５および間隙６６が形成されている。なお本実施形態では、電池蓋３０の係止片の数に対応させて２個のフランジ部が突設されているが、これに限定されるものではない。
【００３５】
図７に示すように間隙６５および間隙６６の幅を、Ｗ１０とする。幅Ｗ１０は、係止片４０ａおよび係止片４０ｂを間隙６５および間隙６６に挿入できるように、係止片４０ａ等の長さＬ１０より大きくなるように設定される。また、電池挿入孔６０に電池蓋３０を挿着する際に間隙６５または間隙６６に直線状部分５１が落下しないように、幅Ｗ１０は直線状部分５１の長さＬ２０より小さくなるように設定される。
【００３６】
図８に示すように、電池蓋３０を電池挿入孔６０に挿着する。例えば、電池蓋３０の係止片４０ａの位置を間隙６５の位置に対応させ、係止片４０ｂの位置を間隙６６の位置に対応させながら電池蓋３０を電池挿入孔６０の奥側に向かって押し込む。電池蓋３０が電池挿入孔６０の奥側に押し込まれることにより、各係止片が各フランジ部より奥側に位置するようになる。一方、コイルスプリング５０の直線状部分５１はフランジ部６１の上面（電池挿入孔６０の開口端側の面）に当接するとともに、電池蓋３０を電池挿入孔６０の奥側に押し込む操作にともなって直線状部分５１を含むコイルスプリング５０が弾性変形する。
【００３７】
電池蓋３０を電池挿入孔６０に一定程度押し込んだ状態で、電池蓋３０を例えば９０度程度、回動させる操作がなされる。この操作は、例えば、蓋面部３５に形成された凹部３１にコイン等を差し込みながら、「CLOSE」の横に位置する矢印により示される方向にコイン等を回転させることにより行われる。この操作に応じて、係止片４０ａがフランジ部６２の下面（本体ケース１０の奥側に位置する面）に摺接するように移動する。また、係止片４０ｂがフランジ部６１の下面（本体ケース１０の奥側に位置する面）に摺接するように移動する。また回動操作に伴って、コイルスプリング５０の直線状部分５１がフランジ部６１から間隙６６に向かう方向に移動する。上述したように、直線状部分５１の長さＬ２０は間隙６６の幅Ｗ１０より大きくなるように設定されているため、移動の際に直線状部分５１が間隙６６に落下することがない。
【００３８】
図９は、電池蓋３０の回動操作が終了し、電池挿入孔６０が電池蓋３０により閉塞された状態を示す。なお、図９では理解を容易とするために、本体ケース１０、フランジ部６１およびフランジ部６２の構成にハッチングを付している。直線状部分５１は、例えば、間隙６６を架橋するようにしてフランジ部６１およびフランジ部６２のそれぞれに当接している。直線状部分５１を含むコイルスプリング５０が弾性変形することにより、電池蓋３０が外れる方向への付勢力が発生する。しかしながら、係止片４０ａおよび係止片４０ｂが、フランジ部６２およびフランジ部６１のそれぞれに係止されていることから、付勢力に抗して電池蓋３０が本体ケース１０に挿着された状態が維持される。
【００３９】
電池蓋３０を本体ケース１０から取り外す操作は、電池蓋３０を例えば９０度程度、回動させることによりなされる。この操作は、例えば、蓋面部３５に形成された凹部３１にコイン等を差し込みながら、「OPEN」の横に位置する矢印により示される方向にコイン等を回転させることにより行われる。この操作に応じて、係止片４０ａが間隙６５の位置に、係止片４０ｂが間隙６６の位置にそれぞれ移動し、各係止片と各フランジ部との係止状態が解除される。そして、コイルスプリング５０が弾性変形することにより生じた付勢力により電池蓋３０が取り出し方向に付勢され、電池蓋３０を容易に取り外すことが可能となる。以上説明したように、本実施形態における電池蓋３０によれは電池収納室内の電池の有無に関わらず、電池蓋３０を本体ケース１０から容易に取り外すことが可能となる。
【００４０】
ここで上述した一実施形態における技術とは異なる想定技術として、コイルスプリングの先端付近を、本体部の長手方向と略平行な方向に屈曲させ、コイルスプリングの先端をフランジ部に接触（点接触）することが考えられる。しかしながら、点接触によりコイルスプリングの付勢力を安定かつ十分に発揮できないおそれがある。また、ユーザが指で電池蓋を摘む方向によってはコイルスプリングの先端が指に接触するおそれがあり危険である。
【００４１】
これに対して、本実施形態における電池蓋３０は、コイルスプリング５０の一部に直線状部分５１を形成し、直線状部分５１がフランジ部６１またはフランジ部６２に当接することによりコイルスプリング５０が弾性変形するように構成している。これにより、コイルスプリング５０の直線状部分５１がフランジ部６１またはフランジ部６２に接触する接触面積を増やせることができ、安定かつ十分な付勢力を発生することができ電池蓋３０を容易に取り外すことができる。また、ユーザの指にコイルスプリング５０の先端が接触しない構成であるため安全でもある。
【００４２】
さらに、本実施形態の電池蓋３０はコイルスプリング５０の回転防止部を備えている。これにより、コイルスプリング５０が回転することにより生じ得る不都合を回避できる。例えば、コイルスプリング５０が回転することによりコイルスプリング５０が間隙６５または間隙６６に入り込み、電池蓋３０を取り外すことが不可能または困難となることを防止できる。
【００４３】
＜２．変形例＞
本考案の一実施形態について説明したが、本考案は上述した実施形態に限定されるものではなく、本考案の技術思想の範囲内において種々の変更が可能である。以下、変形例について説明する。
【００４４】
上述した実施形態では、コイルスプリング５０に１個の直線状部分５１を形成し、直線状部分５１を２個のフランジ部のうちの一方のフランジ部（フランジ部６１）に当接する構成としたが、この例に限定されるものではない。
【００４５】
例えば、図１０に示す電池蓋７０のように、コイルスプリング５０に２個の直線状部分（直線状部分５１および直線状部分５２）を形成し、係止片４０ａと係止片４０ｂとの間のそれぞれに直線状部分５１および直線状部分５２を配するようにしてもよい。２個の直線状部分は、例えば略対向する位置に形成される。直線状部分５２は、電池蓋３０の挿着時にフランジ部６２に当接する。直線状部分を複数、形成することにより直線状部分が１個の場合よりもより安定した付勢力を得ることができる。このため、より容易に電池蓋３０を本体ケース１０から取り外すことができる。また、略対向する位置で均等に付勢力が発生するように構成されるため、電池蓋３０の一部のみに付勢力がかかることを防止できる。
【００４６】
上述した実施形態では、直線状部分５１がフランジ部６１およびフランジ部６２に当接する位置で回動操作が終了する例について説明したがこれに限定されるものではない。例えば、回動操作における回転角度を小さくし、直線状部分５１が間隙６６を通過せずにフランジ部６１のみに当接する位置で回動操作が終了してもよい。このとき、直線状部分５１の一部が間隙６６上に位置してもよい。また、回転角度を大きくし、直線状部分５１がフランジ部６２のみに当接する位置で回動操作が終了するようにしてもよい。このとき、直線状部分５１の一部が間隙６６上または間隙６５上に位置してもよい。回動操作における回転角度や回動操作後の直線状部分５１の位置に応じて、間隙６５および間隙６６の幅、直線状部分５１の長さ、フランジ部６１およびフランジ部６２の大きさを適宜、設定することができる。
【００４７】
上述した実施形態において、電池蓋３０の閉塞状態を維持できるのであれば、係止片４０ａおよび係止片４０ｂの全てがフランジ部６１およびフランジ部６２の下面に位置する必要はない。
【００４８】
上述した実施形態では、弾性部材としてコイルスプリングを例にして説明したがこれに限定されるものではない。電池蓋３０が本体ケース１０に挿着された状態で電池蓋３０を取り外す方向に付勢力を発生する部材であれば、その形状、特性等が特定の部材に限定されるものではない。
【００４９】
電池蓋３０の開閉操作をより容易とするために、電池挿入孔６０の内周面やフランジ部６１，６２の表面等に潤滑剤を塗布してもよい。
【符号の説明】
【００５０】
１：電子塩分計
３０，７０：電池蓋
３６：本体部
４０ａ，４０ｂ：係止片
４１ａ，４１ｂ：孔部
５０：コイルスプリング
５１，５２：直線状部分
６１，６２：フランジ部
【図１】
0003194547.tif 000003
【図２】
0003194547.tif 000004
【図３】
0003194547.tif 000005
【図４】
0003194547.tif 000006
【図５】
0003194547.tif 000007
【図６】
0003194547.tif 000008
【図７】
0003194547.tif 000009
【図８】
0003194547.tif 000010
【図９】
0003194547.tif 000011
【図１０】
0003194547.tif 000012